(57)【要約】【課題】外部から鏡の外形に沿って筋等が見えず、しかも鏡の周側面を保護することができ、さらに薄形化を図ることのできるコンパクト容器を提供する。【解決手段】容器本体と、この容器本体の上面を蓋する蓋体２と、平板状の鏡３とを備えている。そして、熱可塑性合成樹脂シートを成形により鏡を収容しうる薄形容器状に形成し、この薄形容器１５内に鏡３を薄形容器１５の側縁部で鏡３の周側面を覆った状態で収容し、この鏡３を収容した薄形容器１５を蓋体２の下面に固定している。【選択図】図５
2005046533.tif 000002
【特許請求の範囲】
【請求項１】
容器本体と、この容器本体の上面を蓋する蓋体と、平板状の鏡とを備え、熱可塑性合成樹脂シートを成形により鏡を収容しうる薄形容器状に形成し、この薄形容器内に鏡を薄形容器の側縁部で鏡の周側面を覆った状態で収容し、この鏡を収容した薄形容器を蓋体の下面に固定したことを特徴とするコンパクト容器。
【請求項２】
上記薄形容器の鏡固着面に, 接着剤層を介して上記鏡が固定され、その薄形容器が、蓋体の下面に、鏡固着面を下向きにした状態で接着剤層を介して固定されている請求項１記載のコンパクト容器。
【請求項３】
上記薄形容器が枠状体に形成され、この枠状体の枠が、鏡の周側面を覆った状態で保持する側縁部にされている請求項１記載のコンパクト容器。
【発明の詳細な説明】
【技術分野】
【０００１】
本発明は、コンパクト容器に関するものである。
【背景技術】
【０００２】
従来から、ファンデーション等の化粧料を収容して携帯するコンパクト容器として、図１５に示すようなコンパクトが出回っている。このコンパクトは、基部３１と、この基部３１の上面を蓋する蓋３２とからなり、上記基部３１に、化粧品３３ａが収容された皿形３３を設けるようにしている。また、上記蓋３２の下面中央部分から円弧状のビード３４を突設し、このビード３４内に円形の鏡３５を配置，固定するようにしている（例えば、特許文献１）。このものでは、上記ビード３４で鏡３５の周側面を覆って保護しているため、安全である。図において、３６は押しボタンである。
【特許文献１】特開昭６０−３４４０７号公報（第２１図）
【発明の開示】
【発明が解決しようとする課題】
【０００３】
しかしながら、上記のコンパクトでは、蓋３２が色彩，模様等で加飾されていたとしても、少し透明性がある場合には、上記ビード３４が形成された上記蓋３２の部分が外部から筋状に見えるため、見栄えが悪い。そこで、合成樹脂材料を型成形して、下面に鏡収容凹部を形成した鏡収容具（図示せず）を作製し、この鏡収容具の鏡収容凹部に鏡３５を収容した状態で、鏡収容具の底板を蓋３２の下面中央部分に接着，固定したものがある。しかしながら、このものでは、上記鏡収容具の底板の厚みの分だけ蓋３２の厚みが増し、全体として厚形化する。
【０００４】
本発明は、このような事情に鑑みなされたもので、外部から鏡の外形に沿って筋等が見えず、しかも、鏡の周側面を保護することができ、さらに、薄形化を図ることができるコンパクト容器の提供を目的とする。
【課題を解決するための手段】
【０００５】
この目的を達成するため、本発明のコンパクト容器は、容器本体と、この容器本体の上面を蓋する蓋体と、平板状の鏡とを備え、熱可塑性合成樹脂シートを成形により鏡を収容しうる薄形容器状に形成し、この薄形容器内に鏡を薄形容器の側縁部で鏡の周側面を覆った状態で収容し、この鏡を収容した薄形容器を蓋体の下面に固定したという構成をとる。
【発明の効果】
【０００６】
すなわち、本発明のコンパクト容器は、熱可塑性合成樹脂シートを成形により鏡を収容しうる薄形容器状に形成し、この薄形容器内に鏡を薄形容器の側縁部で鏡の周側面を覆った状態で収容し、この鏡を収容した薄形容器を蓋体の下面に固定している。このように、熱可塑性合成樹脂シートを成形して得た薄形容器を用い、鏡を蓋体の下面に固定すると、上記薄形容器の厚みが薄いため、蓋体の厚みを薄くすることができ、コンパクト容器全体の薄形化を図ることができる。しかも、薄形容器の側縁部で鏡の周側面を覆って保護しているため、安全である。さらに、蓋体が少し透明性を有する場合にも、蓋体自体に突条等を突設していないため、外部から鏡の外形に沿って筋等が見えることがなく、見栄えが良い。
【０００７】
また、上記薄形容器の鏡固着面に, 接着剤層を介して上記鏡が固定され、その薄形容器が、蓋体の下面に、鏡固着面を下向きにした状態で接着剤層を介して固定されていると、鏡を薄形容器の鏡固着面に接着，固定した状態とすることにより、鏡と薄形容器とを一部品として取り扱うことができ、作業性に優れる。
【０００８】
また、上記薄形容器が枠状体に形成され、この枠状体の枠が、鏡の周側面を覆った状態で保持する側縁部にされていると、その状態で上記蓋体の下面に鏡の裏面および薄形容器を接着，固定することができ、上記薄形容器に鏡の裏面を接着，固定するための両面テープ等の接着具を不要にすることができる。
【発明を実施するための最良の形態】
【０００９】
つぎに、本発明の実施の形態を図面にもとづいて詳しく説明する。
【００１０】
図１は本発明のコンパクト容器の一実施の形態を示している。図において、１は合成樹脂製の容器本体であり、２は合成樹脂製の蓋体であり、３は長方形状平板体に形成されたガラス製の鏡であり、４は金属製のヒンジ軸である。上記容器本体１には、その上面に化粧皿収容凹部１ａが形成されており、この化粧皿収容凹部１ａの底面に、化粧料５ａが収容された金属製の化粧皿５が、その底面に形成された接着剤層（図示せず）を介して収容，固定されている。また、上記容器本体１の後端部には、その左右方向中央部分に後側切欠き凹部１ｂが切欠き形成されており、この後側切欠き凹部１ｂに、後述する蓋体２のヒンジ連結部１６がヒンジ軸４を介して回動自在にヒンジ連結されている。また、上記容器本体１の前端部には、その左右方向中央部分に前側切欠き凹部１ｃが切欠き形成されており、この前側切欠き凹部１ｃの奥面に、後述する蓋体２の係合爪２ａに着脱自在に係合する突条１１が突設されている。
【００１１】
上記蓋体２には、図２〜図５に示すように、その下面に、鏡収容凹部１３（図６参照）が形成されており、この鏡収容凹部１３の全面に厚み略０．１〜０．２ｍｍ程度の両面テープ１４（図１では、図示せず）が接着，固定されている。そして、上記両面テープ１４の下面に、上記鏡３を収容した薄形容器１５（図７参照。図１では、図示せず）の上面（より詳しく説明すると、後述する天井壁部１５ａの上面）が接着，固定されている。この薄形容器１５は、図８〜図１０に示すように、熱可塑性合成樹脂硬質シート（例えば、ＡＢＳ樹脂製シート）を真空成形により薄形容器状に形成したものであり、（上記鏡３と略同形状の）長方形状平板体に形成された厚み略０．５ｍｍ程度の天井壁部１５ａと、上記鏡３の外周側面（前後両側面および左右両側面）に沿って上記天井壁部１５ａの外周側縁部から垂下する外周側壁部（前後両側壁部および左右両側壁部）１５ｂと、この外周側壁部１５ｂの下端縁から上り傾斜状に延設される傾斜壁部１５ｃとからなっており、上記外周側壁部１５ｂの内壁面で鏡３の外周側面を覆い、保護するようにしている。そして、上記外周側壁部１５ｂの内側空間に鏡３を収容し、上記天井壁部１５ａの下面（鏡固着面）に鏡３の裏面を両面テープ（図示せず）で接着，固定するようにしている。
【００１２】
また、上記蓋体２には、その下面の後端部の左右方向中央部分から、容器本体１の後側切欠き凹部１ｂに収容しうるヒンジ連結部１６（図６参照）が垂下しており、このヒンジ連結部１６に穿設された貫通孔（図示せず）および上記容器本体１の後側切欠き凹部１ｂの左右両側壁に穿設された貫通孔（図示せず）にヒンジ軸４が挿通されている。そして、このヒンジ軸４により容器本体１の後端部と蓋体２の後端部とが回動自在にヒンジ連結されている。また、上記蓋体２には、その下面の前端部の左右方向中央部分から、上記容器本体１の突条１１に着脱自在に係合する係合爪２ａ（図６参照）が垂下している。
【００１３】
上記のように、この実施の形態では、熱可塑性合成樹脂硬質シートを真空成形して作製した薄形容器１５を利用して鏡３を蓋体２の下面に接着，固定しているため、蓋体２の厚みを薄くしてコンパクト容器の薄形化を図ることができる。しかも、薄形容器１５の外周側壁部１５ｂの内壁面で鏡３の外周側面を覆い、保護することができる。さらに、蓋体２自体に突条等を突設していないため、鏡３の外形に沿って筋等が外部から見えず、見栄えが良い。しかも、鏡３を薄形容器１５に接着，固定することにより、鏡３および薄形容器１５を一部品として取り扱うことができ、作業性に優れる。
【００１４】
図１１は本発明のコンパクト容器の他の実施の形態に用いる蓋体２を示している。この実施の形態では、上記蓋体２の鏡収容凹部１３に鏡３を接着，固定するため、略長方形枠状体に形成された薄形容器１７を用いている（図１２参照）。この薄形容器１７は、図１３および図１４に示すように、長方形枠状体の内周部に形成された平板状（厚み略０．５ｍｍ程度）の底壁部１７ａと、上記鏡３の外周側面に沿って上記底壁部１７ａの外周縁から上方に垂設された外周側壁部（前後両側壁部および左右両側壁部）（上記長方形枠状体の枠）１７ｂと、この外周側壁部１７ｂの上端縁から下り傾斜状に延設される傾斜壁部１７ｃとからなっており、上記外周側壁部１７ｂの内壁面で鏡３の外周側面を覆い、保護するようにしている。そして、上記薄形容器１７の外周側壁部１７ｂの内側空間に鏡３を収容した状態で、上記蓋体２の鏡収容凹部１３の全面に接着，固定した厚み略０．１〜０．２ｍｍ程度の両面テープ１４に上記鏡３の裏面および傾斜壁部１７ｃの上面を接着，固定するようにしている。このような薄形容器１７は、図８〜図１０に示す薄形容器１５と同様に、熱可塑性合成樹脂硬質シート（例えば、ＡＢＳ製樹脂シート）を真空成形により薄形容器状に形成したものである。それ以外は上記実施の形態と同様であり、同様の部分には同じ符号を付している。この実施の形態でも、上記実施の形態と同様の作用・効果を奏する。しかも、この実施の形態では、両面テープ１４に鏡３を直接に接着，固定しているため、上記実施の形態では用いた、薄形容器１５に鏡３の裏面を接着，固定するための両面テープを省略することができる。
【００１５】
なお、上記両実施の形態では、熱可塑性合成樹脂硬質シート（例えば、ＡＢＳ製樹脂シート）を用いた例をあげたが、所定の形状に成形できるものであれば、半硬質シートであっても用いることができる。また、熱可塑性合成樹脂硬質シートの厚みは、蓋体２の所望の厚みに応じて適宜選択することができる。また、成形方法は、真空成形以外に圧空成形等も採用することができる。
【００１６】
また、図１〜図１０に示す実施の形態では、蓋体２の鏡収容凹部１３の全面に両面テープ１４を接着，固定しているが、これに限定するものではなく、薄形容器１５に対応する上記鏡収容凹部１３の部分にのみ両面テープ１４を接着，固定してもよい。また、図１１〜図１４に示す実施の形態でも、蓋体２の鏡収容凹部１３の全面に両面テープ１４を接着，固定しているが、鏡３に対応する上記鏡収容凹部１３の部分および薄形容器１７の傾斜壁部１７ｃに対応する上記鏡収容凹部１３の部分にのみ両面テープ１４を接着，固定してもよいし、上記両部分にそれぞれ別々の両面テープ１４を用いてもよい。
【００１７】
また、薄形容器１５，１７の形状は、鏡３を収容することができ、かつ、鏡３の周側面を覆うことができるものであれば、どのような形状でもよい。また、上記両実施の形態において、押しボタンで開蓋する構造にしてもよい。
【図面の簡単な説明】
【００１８】
【図１】本発明のコンパクト容器の一実施の形態を示す断面図である。
【図２】蓋体の平面図である。
【図３】上記蓋体の底面図である。
【図４】上記蓋体の断面図である。
【図５】上記蓋体の要部の断面図である。
【図６】上記蓋体の鏡収容凹部の説明図である。
【図７】薄形容器に鏡を接着，固定した状態を示す平面図である。
【図８】上記薄形容器の平面図である。
【図９】上記薄形容器の側面図である。
【図１０】上記薄形容器の要部の断面図である。
【図１１】本発明のコンパクト容器の他の実施の形態に用いる蓋体の断面図である。
【図１２】上記蓋体の要部の断面図である。
【図１３】薄形容器の平面図である。
【図１４】上記薄形容器の要部の断面図である。
【図１５】従来例の斜視図である。
【符号の説明】
【００１９】
２  蓋体
３  鏡
１５  薄形容器
【図１】
2005046533.tif 000003
【図２】
2005046533.tif 000004
【図３】
2005046533.tif 000005
【図４】
2005046533.tif 000006
【図５】
2005046533.tif 000007
【図６】
2005046533.tif 000008
【図７】
2005046533.tif 000009
【図８】
2005046533.tif 000010
【図９】
2005046533.tif 000011
【図１０】
2005046533.tif 000012
【図１１】
2005046533.tif 000013
【図１２】
2005046533.tif 000014
【図１３】
2005046533.tif 000015
【図１４】
2005046533.tif 000016
【図１５】
2005046533.tif 000017